(57)【特許請求の範囲】
【請求項１】
調整可能なビーム形状の光線を発するための、調整可能な反射装置と、細長い光源（２０）とを有する照明器具であって、
前記反射装置は、ひとつが背部（３）のどちらか一方の側に配置される２つの弾力性シート部（１、２）により形成され、及び、縦方向に伸びる対称軸と２つのくぼんだ反射表面とを有する実質的に対称的なｍ形構造に曲げられたダブルアーチ構造を有し、
前記シート部は、実質的に平行な外側の端部（２４、２６）を有し、
前記光源（２０）は、前記くぼんだ表面に隣接して配置され、前記対称軸から間隔をあけて、該対称軸に実質的に平行であり、且つ、前記反射装置の中心線上に配置され、
前記光源（２０）からの光は、前記くぼんだ表面のそれぞれに、実質的に等しく入射され、
前記照明器具は、一方のシート部（１）の前記外側の端部（２４）と、他方のシート部（２）の前記外側の端部（２６）の間でそれぞれ張られ、前記外側の端部間の長さを任意に調整するための、少なくともひとつの細長い保持手段（４）
をさらに備え、
対称的なｍ形構造に曲げられ、外側に広がる方向に付勢された２つの前記弾力性シート部（１、２）に対し、前記外側の端部（２４、２６）間に張られた前記保持手段（４）で保持することにより前記反射装置のダブルアーチ構造を維持するものにおいて、前記保持手段（４）の前記外側の端部（２４、２６）間の長さを調整することにより反射表面の曲率を調整可能なものとし、
前記くぼんだ反射表面を、既定の選択された複数の可能な曲率のうちのひとつで保持し、
前記曲率のそれぞれが前記照明器具から発せられた前記光線の異なる形状を生じさせる前記照明器具。
【請求項２】
前記２つの弾力性シート部（１、２）は、２つの分離片で形成され、
前記背部（３）は、前記シート部の縁が重ねあわされて形成された請求項１に記載の照明器具。
【請求項３】
横断面の形状が実質的にＶ形状の細長い穴開き熱シールド（１７）を有し、
前記熱シールドは、前記光源から間隔をあけて、該光源に実質平行に配置され、
前記光源は、前記くぼんだ反射表面と前記熱シールドの間にある請求項１又は２に記載の照明器具。
【発明の詳細な説明】
発明の背景
本発明は、人工的なソースにより放射された光を反射するための装置の改良に関する。
先行技術の説明
人工的な照明についての近代産業の要望は、広範囲で、多様であり、絶えず拡大している。
産業空間の人工照明に関する様々なタイプの反射装置が、現在知られているが、これらは全て、固定形状及び／又はこの形状中の固定ランプ取付位置が、特定の目的のために最適の光分配を形成するために正確に特定されるということを要求するものである。例えば、’中国帽（chinaman hat）’反射物は、広く、均一の光の広がりが要求される場合に、一般に使用されるであろう。この場合、光の広がりは、円錐形状の'中国帽'反射物の固定された内部角度に大きく依存する。よって、放射される光の均一性は、その反射物内の調整不可能なランプ位置に大きく依存する。これらの既知の装置は、柔軟性のない、調整不可能なデザインのため、比較的小さい応用範囲へのそれらの有効な使用を限定するという問題点がある。
発明の開示
本発明は、従来技術の問題点を解決又は少なくとも改善するような、調整可能な照明反射装置を提供することに向けられる。
本発明によると、本のページ様に背部（spine）の一方側が他方側に配置された一組の弾力性シート（sheets）を備え、前記シートは、非バイアス状態の際にはある角度で実質的に交差する２平面として配されており、普通の弾力性のバイアスに対して曲げられ及び保持されるようになされた際には反射表面を形成するダブルアーチ構造を有するようになされた照明器具用の反射装置を提供する。
好ましくは、前記シート部は、前記シート部間が連結された保持手段により普通の弾力性のバイアスに対して保持される。
また、好ましくは、前記保持手段は、チェーン、又はワイヤ又は同様のフィラメント状（糸状、filamentary）手段であり、任意に長さを調整できる。
好ましいフォームにおいて、ランプ取付具が、照明装置を形成するための任意に調整可能な取付手段により、前記反射装置に取り付けられるように設けられる。
好ましい実施の形態において、熱シールドが、前記照明装置に設けられる。
好ましくは、前記熱シールドが、Ｖ形状であり、前記反射装置の反対側のランプ取付具の側に固定される。
好ましいフォームにおいて、各々の前記シート部は、別々に製造された後前記反射装置を形成するために共に固定される。
好ましくは、各々の前記シート部は、実質的に長方形形状であり、それぞれのシートの縁部近辺の、直交した面から突出した端部(skirt、スカート)を有する。このようにして、前記反射装置を形成するために、第１のシートの前記端部が第２のシートの端部に結合され、前記第２のシートの端部が前記第１のシートの縁部に結合される。
また、好ましくは、前記端部及び前記縁部は、ボルト、溶接又は同様の手段で結合される。
【図面の簡単な説明】
本発明は、添付の図面と関連して記載される、以下のような好ましく且つこれに限定されない実施の形態の説明により、十分に理解することができるであろう。
図１は、本発明に係る調整可能反射装置のひとつの実施の形態の分解組立図を示す。
図２は、反射装置の外板（skin）の分解図を示し、シート部（sheet member）に設けられる突出する端部（skirt、スカート部）を表す。
図３は、曲げる前のシート部の配置を表す。
好ましい実施の形態の詳細な説明
特に示されない限り、これら図面において、同じ参照番号は、同様の特徴を表すように使用される。
また、明細書において、”ダブルアーチ構造（a doubly arched configuration、二重弓状構造）”の用語は、例えば図１に示されるように、その普通の弾力性のバイアスに対して保持され、曲げられた状態のときの本反射装置の形状を表現するために用いられる。このような定義を考慮する際には、放射状又は同様の形にカーブしたアーチのいかなる大きさ、形状又は幅が、この定義の範囲内に含まれと認められるべきであることが、理解されるべきである。
概略、ダブルアーチ又はダブルパラボラ形状を形成するように曲げられた一組の弾力性反射シートを備えた調整可能な照明反射装置が提供される。シートは、反射装置の各側に位置する調整可能な保持部によりその弾力性に対して位置が支持される。独立に調整可能なランプ台は、照明装置を形成するためにシートに取り付けられる。Ｖ形状穴あき熱シールドについてのスライドは、好ましくはランプ取付具に取り付けられる。
図１を参照すると、本発明の好ましい実施の形態に係る調整可能反射装置は、ふたつの弾力性シート部１及び２を備える。好ましくは、各シート部１、２は、シート部の長い方の縁部に平行して延びる突出する２つ端部（skirt、スカート部）を有する。シート部１、２は、実質的に長方形の形状であり、背部（a spine portion）３のあたりで切り離し可能に結合されている。その後普通の弾力性に対して、図のように、一方のシート部の一方の縁部及び関連する端部は、対応する他方の端部及び縁部ときちんと重ね合わさるように、ダブルアーチ形状を形成するように反対に曲げられる。これらシートは、反射ダブルアーチ形状を形成するために反対側に曲げられる。シート１、２は、例えば、カラーボンドメタル（colour bonded metal）、金属、ファイバーグラス、又はプラスチックのようないかなる適切な材料により構成されてもよい。この一組のシート部１、２は、図のように、別個に形成されるのとは対照的に、ひとつの構造で全体的に製造されることができる。これらシートは、一組のチェーン保持部４がそれぞれ一組のフック５を備えることにより調整可能に固定される（方向によりひとつの保持部のみが示される）。保持手段は、チェーン、ワイヤ又は同様のフィラメントで構成されてもよく、任意に長さが調整可能である。
一組の貫通ボルト６及び７は、組み立てられた外板の上部の穴８及び９を通って下に抜け、ナット１０及び１１により固定される。ランプ台１２は、穴１３及び１４を通してボルト６及び７に取り付けられ、取り付けナット１５及び１６により調整可能に固定される。ランプ台１２は、外板の穴を通して貫通する一組の貫通ボルト６、７に沿って調整するスライド板を備える。ナット１０、１１は、ボルト６、７を外板に固定し、一方、ナット１５、１６はランプ台１２の調整手段を提供するために使用される。ランプ台１２は、取り付けられたときにシート部１、２の湾曲を実質的に抑制しない限り、いかなるやり方（fashon）、調整可能又は調整不可能であるようにデザインされてもよい。
Ｖ形状穴あき熱シールド１７は、ランプ取付具１８上をスライドし、止めねじ１９によりその下側に固定される。熱シールド１７は好ましくは、ランプのエレメントの少なくとも一部のあたりまで延びており、細いアーム２９を介して、ランプ取付具１８上をスライドする円筒状のチューブ２８の部分に取り付けられ止めねじ１９で固定される。熱シールド１７は、実質的にＶ形状である限り、いかなる大きさ又は形状のいかなる数の穴３０があけられてもよい。それは、照明装置にランプの下側に実質的に平行な熱シールド１７を固定することができるようないかなる方法により取り付けられてもよい。
図２を参照すると、反射装置を備えるシート部１及び２が示され、各々が、対応する端部２４、２５及び２６、２７を形成するふたつの縦方向に延びた折り目又は屈曲２０、２２及び２１、２３をそれぞれ有することが示される。折り目又は屈曲は、曲げられ保持された反射装置において、剛性及び強度を保つ。弾力性反射装置は、ここで定義されたようなフレキシブルなダブルアーチ構造の形成のために必要な予め決められた形状及び条件におよそなるように作られた、ひとつ又はいかなる数のシート部及びいかなる必要な補強部材で構成されてもよい。
図３を参照すると、シート部１及び２が、ある角度でどのように結合されるかということが示される。端部２７及び２５は、重ね合わさり、シート部１及び２の本体に結合され、シート部１及び２と背部３は本のページに似ているように図示されているように、新しく形成された背部３のあたりに補強結合部を構成する。
上述のような反射装置の適当な調整により、人工照明の多数及び多様な所望条件が達成されることができる。よって、別個のタスクの範囲を効果的に提供するため、複数の反射装置を使用する従来の必要性は、減少され又は取り除かれる。
本発明に係る反射装置は、実施の形態で示された弾力性外板の特定の形状及び構造に限定されることはなく、調整可能なダブルアーチ構造又は他の同様の形状を構成するための背部又は軸上の折り目に対して反対に曲げられるような本質的な特徴が達成される限り、適当な形状又は大きさのひとつ、ふたつ又はそれより多数の適当な材料（material）から作られる反射装置を使用してもよい。
当業者にとって、本発明の変形及び修正が可能であることが理解されるであろう。全てのそのような変形及び修正は、上述したような及び以下にクレームするような本発明の範囲内であることが考慮されるべきである。
【図１】
0003667344.tif 000002
【図２】
0003667344.tif 000003
【図３】
0003667344.tif 000004